(57)【要約】【課題】窓や引き違い戸、或いは開き戸の施錠部分のガラスを破り、該部分の施錠を解錠して、短時間で室内の貴重品を盗み取る手口の犯罪を防止する金物装置を提供する。【解決手段】クレセントやサムターンが設けられている窓枠、扉枠に固定されるスライドレールを設け、該スライドレール上を摺動し任意位置で停止施錠固定可能なダイヤル錠等の施錠機構を設け、該施錠機構に連結して摺動しクレセントやサムターン或いは施錠レバー等に嵌合したり当接したり或いは施錠部分をカバーしてしまうことの出来るストッパー部材を設けることにより、前記施錠機構が作動していると前記クレセントやサムターン等が解錠出来ないよう構成した。【選択図】  図３
2004238798.tif 000002
【特許請求の範囲】
【請求項１】
窓を含めた引き戸用クレセント周辺部やベランダやテラスへの出入口等開き戸のサムターン周辺部のガラスを部分的に破り前記クレセントやサムターンを外部より解錠操作して室内に侵入する犯罪を防止するため、
クレセントやサムターンが設けられた窓枠または扉枠の附近にビスまたは工業用両面テープにて窓枠または扉枠に固着されるスライドレールを設け、
該スライドレール上を摺動し任意位置で停止施錠可能なダイヤル錠の施錠機構を設け、
該施錠機構に連結して摺動するクレセント摘子やサムターンの摘子ストッパー部材を設け、
該ストッパー部材は前記施錠機構のスライドレール上の摺動によりクレセントやサムターンが解錠されないように前記クレセント摘子やサムターンの摘子に嵌合または当接し、
前記施錠機構がスライドレール上で停止施錠されると前記クレセントやサムターン等が解錠出来ない状況が維持出来ることを特徴とするクレセントやサムターン等の防犯用金物装置。
【請求項２】
窓を含めた引き戸用クレセント周辺部やベランダやテラスへの出入口等開き戸のサムターン周辺部のガラス部分的にを破り前記クレセントやサムターンを外部より解錠操作して室内に侵入する犯罪を防止するため、
クレセントやサムターン或いは引き戸用センター錠が設けられた窓枠または扉枠の附近にビスまたは工業用両面テープにて窓枠または扉枠に固着されるスライドレールを設け、
該スライドレール上を摺動し任意位置で停止施錠可能なダイヤル錠の施錠機構を設け、
該施錠機構に連結して摺動しクレセントやサムターン或いは引き戸用センター錠を覆うことのできるカバー部材を設け、
該カバー部材は前記施錠機構のスライドレール上の摺動によりクレセントやサムターン或いは引き戸用センター錠等を上部から覆って解錠不可能とすることができ、
前記施錠機構がスライドレール上で停止施錠されると前記クレセントやサムターン或いは引き戸用センター錠が解錠できない状況が維持できることを特徴とするクレセントやサムターン等の防犯用金物装置。
【請求項３】
前記スライドレール上を摺動し任意位置で停止施錠可能なダイヤル錠をファスナーロックタイプのキー錠にしたことを特徴とする請求項１又は請求項２記載のクレセントやサムターン等の防犯用金物装置。
【請求項４】
前記スライドレールと一体化して構成された取付金具はクレセント取付用皿ビスをゆるめ、該クレセントベースプレイトと該クレセントが取り付けられている框間の隙間に嵌合され、クレセント取付用皿ビスを再び締結することにより前記スライドレールを框に固着することを特徴とする請求項１又は請求項２記載のクレセントやサムターン等の防犯用金物装置。
【発明の詳細な説明】
【０００１】
本発明は、窓を含めた引き戸用クレセント周辺部や、ベランダやテラスへの出入口等開き戸のサムターン周辺部のガラスを部分破りクレセントやサムターンを外部より解錠操作して室内に侵入する犯罪を防止するためのクレセント・サムターン・引き戸用センター錠等の防犯金物装置に関するものである。
【０００２】
【従来の技術】
窓や引き戸或いは開き戸の施錠部分のガラスを破り、該部分の施錠を外部より解錠して、短時間で室内の貴重品を盗み取る手口の犯罪を防止するため、従来、窓枠や扉枠と構造物に固定された外枠間をラッチやチャンネル状の着脱自在な固定金具で締着する方法や、サムターンを扉枠の上部や下部に新設する方法がなされてきた。
【０００３】
しかしながら、上記従来方法における防犯固定金具は、通常時、窓枠や扉枠と外枠を固定しない場合、外してしまうので、固定具の取付を肝心な時に忘れてしまったり、紛失してしまうことがあって、実用的な製品ではなかった。またサムターン等を扉の上部または下部に分散して取り付けることも有効ではあるが、枠内に後付でそれらのものを取り付けるには、金物工事施工業者に依頼して、加工取付をゆだねることになり、費用的に困難なものになる。
【０００４】
【発明が解決しょうとする課題】
而して、本発明は上述の点に鑑みてなされたもので、問題となる既存のクレセント・サムターン・引き戸用センター錠等、あらゆる施錠種類の施錠機能部分に簡単且つ容易に居住者が取り付けることができ、該防犯金物は、前記施錠部分に一体化されて設置され、窓や引き違い戸、或いは開き戸を施錠するとき、忘れずに利用することが出来る防犯用金物を提供するものである。
【０００５】
【課題を解決するための手段】
本発明は、窓や引き違い戸、或いは開き戸の施錠部分のガラスを破り、該部分の施錠を外部より解錠して、短時間で室内の貴重品を盗み取る手口の犯罪を防止するため、クレセントやサムターンが設けられている窓枠または扉枠の附近にビスまたは工業用両面テープにて窓枠または扉枠に固着されるスライドレールを設け、該スライドレール上を摺動し任意位置で停止施錠可能なダイヤル錠またはキー錠等の施錠機構を設け、該施錠機構に連結して摺動するクレセント摘子やサムターンの摘子に嵌合または当接し、前記施錠機構がスライドレール上で停止施錠されると前記クレセントやサムターン等が解錠出来ない状況が維持出来るようにした。
【０００６】
また、本発明は、前記施錠機構に連結して摺動し、クレセントやサムターン、或いは引き戸用センタター錠の上げ下げロックを上部から覆うことのできるカバー部材を設け、該カバー部材は前記施錠機構のスライドレール上の摺動によりクレセントやサムターン、或いは引き戸用センター錠の上げ下げロックを上部から覆って解錠不可能とすることが出来、前記施錠機構がスライドレール上で停止施錠されると前記クレセント・サムターン・引き戸用センター錠が解錠出来ない状況が維持出来るようにしている。
【０００７】
【発明の実施の形態】
本発明の実施の形態を図１乃至図８に基づき説明する。
【０００８】
【実施例１】
図１乃至図４は窓を含めた引き戸用クレセントに本発明を実施した例を説明するもので、図１は、ダイヤル錠にストッパー部材を設けた形状を説明する側面図、図２はスライドレールとのダイヤル錠の関係を説明する要部断面図、図３は図１と図２にて説明した本発明の防犯用金具をクレセントに取り付けた状態を示す説明図、図４は取付動作説明図を示している。
【０００９】
図１乃至図４に於いて、１はダイヤル錠、２はダイヤル錠底辺部に設けられた摺動片、３は支点４を中心に回動するロック爪部材、該ロック爪部材３を載置している前記摺動片２は、図２に示すスライドレール５のチャンネル形スライド溝６に摺動自在嵌合している。
【００１０】
前記スライド溝６の片側には、ラック７が刻設されており、該ラック７には前記ロック爪部材３の爪部８が嵌合、離脱可能に係合している。即ちロック爪部３を載置した前記ダイヤル錠１の摺動片２は矢印Ａ方向には摺動するが、後戻りは出来ず、該摺動片２の後戻り動作は、ダイヤル錠１に設けられた操作摘子９を移動させて前記爪部８をラック７の係合から外すことにのみ可能となる。
【００１１】
また当然のことながら、前記爪部８のラック７への係合状態はダイヤル錠１のダイヤル１０ａ、１０ｂの操作によりダイヤル錠１をスライドレール５の任意位置にて施錠固定することが出来、また、前記ダイヤル１０ａ、１０ｂ上に設定された番号を戻すことにて、該スライドレール５上でダイヤル錠１は前記操作摘子９の操作で任意に摺動できる。
【００１２】
而して、ダイヤル錠１はその先端部にクレセント１１（図３に示す）のストッパー部材１２を有しており、また前記スライドレール５の先端部にはスポット溶接１３ａ、１３ｂで該スライドレール５と一体化している取付金具１４が設けられている。また、取付金具１４には取付溝１５が設けられていて、実施例１に於いて本発明の金物装置は図３に示すように使用されている。
【００１３】
図３は、図１及び図２にて説明した金物装置を引き戸のクレセント１１部分に取り付けた状態を示しており、図３において、１６，１７は引き違い戸において互いに開閉する障子の竪框を示し、一方にクレセント受け部１８が固定されており、他方のクレセント１１は、摘子１９にて軸２０を中心に回動し前記クレセント受け部１９に係合し、障子を互いに固定する型式のものである。
【００１４】
クレセント１１はベースプレイト２１を介して、ビス２２ａ、２２ｂにより竪框１７に固定されているが、実施例１においては、該ビス２２ａ、２２ｂの螺着をゆるめ、前記取付金具１４に設けられた取付溝１５にビス２２ａ、２２ｂを挟着した後、前記ビス２２ａ、２２ｂを再び締着することにより、クレセント１１上部に本発明の防犯用金物装置を固着する。
【００１５】
而して本発明の防犯用固定金物は、スライドレール５上に配置されているダイヤル錠１を摘子９を持つて、矢印Ａ方向にスライドさせると図３の如くダイヤル錠１先端部に設けた前記ストッパー部材１２のチャンネル形状部２３がクレセント１１の摘子１９を狭持する如く挟み込み、該位置関係でダイヤル錠１を操作して、スライドレール５上に該ダイヤル錠１を施錠して固定すれば、竪框１６にはめ込まれたガラス２４のクレセント１１周辺を破りクレセント１１を解錠しようとしても、クレセント１１の摘子１９が、ストッパー１２のチャンネル形状部２４にガードされ解錠することが出来ない。
【００１６】
また、実施例１は、スライドレール５上をスライドし任意位置にて固定される錠前をダイヤル錠１として説明したが、該錠前は例えばキーにて施錠・解錠が出来、且つ前記スライドレール５に該錠前を固定可能なファスナーロック的な機構を有しておれば、キー錠の採用も何ら問題を生じない。
【００１７】
尚、図４は実施例１に於けるスライドレール５及びダイヤル錠１からなる本発明の防犯用金物装置を引き戸の竪框１７とクレセント１１間にに挟持固定出来るかを示す動作説明図であり、取付金具１４の形状は想像線にて表示している。
【００１８】
実施例１の取付に当たっては専門取付業者を必要とせず、既存のクレセント１１の取付用ビス  ２２ａ、２２ｂをゆるめ、竪框１７とクレセントのベースプレイト２１間に隙間を設けて差し込み、取付溝１５はビス２２ａ及びビス２２ｂに嵌合させ、位置調整後、ビス２２ａ、２２ｂを締着することで簡単、且つ容易に本発明装置を取り付けることができた。
【００１９】
【実施例２】
図５及び図６はサムターンに本発明装置を取り付けた実施例を示すもので、図５は正面図、図６は図５の側面図を示している。
【００２０】
図５及び図６に於いて、１７は開き戸等の竪框、該竪框１７の部屋内側には、サムターン２５が設けてあり、該サムターン２５のサムターン摘子２６は、図５の状態で施錠状態にある。
【００２１】
前記サムターン２５には、スライドレール５及びダイヤル錠１からなる本発明の防犯用金物装置が、工業用両面テープまたは該両面テープとビスビス止め併用にて、竪框１７に固着されている。
【００２２】
而してダイヤル錠１の先端部にはサムターン２５の化粧カバー２７の高さ分だけ切欠部２８を有したストッパー部材１２のチャンネル形状部２３がサムターン２５のサムターン摘子２６を挟持する如く挟み込み、該位置関係でダイヤル錠１を操作して、スライドレール上に該ダイヤル錠１を施錠して固定すれば、周辺部のガラスを破りサムターン２５を解錠しようとしても、サムターン２５のサムターン摘子２６がストッパー部材１２のチャンネル形状部２４にガードされ解錠することが出来ない。
【００２３】
また想像線にて示すサムターン２５のサムターン摘子２６’は、該サムターン摘子２６’の施錠位置が設定条件により異なった場合を示しており、この様な場合には、前記ストッパー部材１２のチャンネル形状部２３の先端部２９ａ、２９ｂがサムターン摘子２６’の両端に当接され、サムターン摘子２６’がダイヤル錠１の解錠無しでは回動しないよう固定されている。
【００２４】
実施例２に於いてもスライドレール５上をスライドし任意位置にて固定される錠前をダイヤル錠１として説明したが、該錠前は例えばキーにて施錠・解錠出来、且つ前記スライドレール５に該錠前を固定可能なファスナーロック的な機構を有しておれば、キー錠の採用も何ら問題を生じない点は実施例１と同様である。
【００２５】
斯くして、実施例２は、ガラス入り開き戸だけでなく、特にスチール等のフラッシュ扉で、新聞受けが、部屋内側に貫通して設けてあるような構造の玄関扉を特殊形状の針金を使い「サムターン操作」と言う新手の解錠方法で開け、室内を荒らし回る犯罪の防止にも非常に有効である。
【００２６】
【実施例３】
図７及び図８は引き戸用センター錠のサムターンに本発明装置を取り付けた実施例を示すもので、図７は正面図、図８は図７の側面図を示している。
【００２７】
図７及び図８に於いて、１７は引き戸の竪框、該竪框１７の部屋内側には、引き戸用のシリンダー錠と連動したセンター錠用上げ下げロック３０が設けてあり、該上げ下げロック３０は、図７及び図８に示す状態にて施錠状態にある。
【００２８】
前記センター錠用上げ下げロック３０にはスライドレール５及びダイヤル錠１からなる本発明の防犯金物装置が、工業用両面テープ、または該両面テープとビス止め併用にて竪枠１７に固着されている。
【００２９】
而してダイヤル錠１の先端部には、前記上げ下げロック３０をスライドして覆うことの出来るカバー部材３１が設けてあり、該カバー部材３１は、ダイヤル錠１が前記スライドレール５上をスライドすると連動して前記上げ下げロック３０を覆い、該位置関係にてダイヤル錠１のダイヤル１０ａ、１０ｂを操作しダイヤル錠１を施錠し、且つダイヤル錠１をスライドレール５上に固定すれば、周辺部のガラスを破って上げ下げロック３０を解錠しようとしても、上げ下げロック３０は、ロック部分をカバー部材３１にて覆われているので、上げ下げロック３０は解錠することが出来ない。
【００３０】
斯くして、本発明は、上述の如く、その実施の様態を、実施例１乃至実施例３に基づき説明してきたが、本発明は、窓や引き違い戸、或いは開き戸の施錠部分のガラスを破り、該部分の施錠を外部より解錠して、短時間で室内の貴重品を盗み取る手口の犯罪を防止するため、クレセントやサムターンが設けられている窓枠、または扉枠の附近にビスまたは工業用両面テープにて窓枠や扉枠に固定されるスライドレールを設け、該スライドレール上を摺動し任意位置で停止施錠可能なダイヤル錠またはキー錠等の施錠機構を設け、該施錠機構に連結して摺動するクレセント摘子やサムターンの摘子に嵌合または当接し、前記施錠機構がスライドレール上で停止施錠されると前記クレセントやサムターン等が解錠出来ない状況が維持出来るようにしている。
【００３１】
また本発明は、前記施錠機構に摺動し、クレセントやサムターン、或いは、引き戸用センター錠の上げ下げロックを上部から覆って解錠不可能とすることが出来、前記施錠機構がスライドレール上で停止施錠されると、前記クレセントやサムターン、或いは、引き戸用センター錠の上げ下げロックが解錠出来ない状況が維持できるようにした。
【００３２】
【発明の効果】
而して、本発明は、問題となる既存のクレセントやサムターン或いは引き戸用センター錠等、あらゆる施錠機能部分に簡単且つ容易に居住者が取り付けることが出来、該防犯金物装置は前記施錠機能部分に一体化されて設置され、窓や引き違い戸、或いは開き戸を施錠するとき、忘れずに利用することの出来るクレセントやサムターン等の防犯用金物装置を提供することが出来た。
【００３３】
また、本発明は、ガラス入り窓、扉だけでなく特にスチール等のフラッシュ扉で、新聞受けが部屋内側に貫通して設けてあるような構造の玄関扉を特殊形状の針金を使い「サムターン操作」と言う新手の解錠方法で開け、室内を荒らし回る犯罪の防止にも非常に有効である。
【図面の簡単な説明】
【図１】本発明の実施例１に使用されるダイヤル錠にストッパー部材を設けた形状を示す側面図である。
【図２】本発明の実施例１に使用されるスライドレールとダイヤル錠の関係を示す要部断面図である。
【図３】本発明の実施例１を説明する正面図である。
【図４】本発明の実施例１の取付動作説明図である。
【図５】本発明の実施例２示す正面図である。
【図６】本発明の実施例２を説明する側面図である。
【図７】本発明の実施例３を示す正面図である。
【図８】本発明の実施例３を説明する側面図である。
【符号の説明】
１  ダイヤル錠
２  摺動片
３  ロック爪部材
４  支点
５  スライドレール
６  スライド溝
７  ラック
８  爪部
９  操作摘子
１０ａ、１０ｂ  ダイヤル
１１  クレセント
１２  ストッパー部材
１３ａ、１３ｂ  スポット溶接
１４  取付金物
１５  取付溝
１６、１７  竪框
１８  クレセント受け部
１９  摘子
２０  軸
２１  ベースプレイト
２２ａ、２２ｂ  ビス
２３  チャンネル形状部
２４  ガラス
２５  サムターン
２６、２６’  サムターン摘子
２７  化粧カバー
２８  切欠部
２９ａ、２９ｂ  先端部
３０  センター錠用上げ下げロック
３１  カバー部材
【図１】
2004238798.tif 000003
【図２】
2004238798.tif 000004
【図３】
2004238798.tif 000005
【図４】
2004238798.tif 000006
【図５】
2004238798.tif 000007
【図６】
2004238798.tif 000008
【図７】
2004238798.tif 000009
【図８】
2004238798.tif 000010